(57)【要約】【課題】コストパフォーマンスをよくし、コンパクト化を図る。【解決手段】防水ケース４に計測部１０と表示部５を収容する。表示部５は基台６に設け、基台６の外周部を環状のホルダ７の内段面７ａに固着する。ホルダ７の外周面７ｂに内側マグネット８を分散して設ける。ホルダ７の内周面７ｃに環状溝７ｄを設け、この環状溝７ｄに内部ケース３の上面に形成されている内部ケースガイド３ｂを嵌め込み、表示ユニット９を回動可能とする。防水ケース４の外側に操作リング１１を装着する。操作リング１１の内周面に分散して外側マグネット１２を設ける。操作リング１１を回転させると、この操作リング１１の外側マグネット１２に追従する内側マグネット８の移動によって、表示ユニット９が内部ケースガイド３ｂに案内されて回転し、表示部５の表示方向が変更される。【選択図】  図１
2011209229.tif 000002
【特許請求の範囲】
【請求項１】
計測対象の物理量を計測する計測部と、この計測部の計測結果を表示する表示部とを備え、前記計測部と前記表示部とを同一の防水ケース内に収容した防水計器であって、
前記表示部は、
前記防水ケース内に当該防水ケースの内周面に沿う方向に回動可能に設けられた表示ユニットに設けられ、
前記表示ユニットは、
前記防水ケースの内周面に対向する外周面の一部に第１の磁石を備えている
ことを特徴とする防水計器。
【請求項２】
請求項１に記載された防水計器において、
前記表示ユニットは、
前記表示部が設けられた板状の部材と、
前記板状の部材の外周部がその内段面に固着され、前記第１の磁石がその外周面の一部に設けられ、その内周面に環状溝が設けられた環状のホルダとを備え、
前記防水ケースは、その内部に、
前記環状のホルダの環状溝に係合し前記表示ユニットを当該防水ケースの内周面に沿う方向に回動可能に案内するガイド部を備えている
ことを特徴とする防水計器。
【請求項３】
請求項１又は２に記載された防水計器において、
前記防水ケースの外周面の前記表示ユニットの外周面に対向する位置に環状の操作リング部が当該防水ケースの外周面に沿う方向に回動可能に装着され、
前記操作リング部は、
前記表示ユニットの外周面に対向する内周面の一部に前記第１の磁石とその磁極間が引き合う第２の磁石を備えている
ことを特徴とする防水計器。
【請求項４】
請求項３に記載された防水計器において、
前記防水ケースの外部より前記表示部を開閉可能に覆う蓋が前記操作リングに取り付けられている
ことを特徴とする防水計器。
【請求項５】
請求項１−４の何れか１項に記載された防水計器において、
前記表示ユニットの前記防水ケース内での回動を規制する回動規制手段を備えている
ことを特徴とする防水計器。
【発明の詳細な説明】
【技術分野】
【０００１】
この発明は、表示部と計測部とを同一の防水ケース内に収容した防水計器に関するものである。
【背景技術】
【０００２】
従来より、計測対象の１つ又は複数の物理量を計測し、計測した物理量を表示部に計測値として表示する計器がある。この計器は、計測部と表示部とを備えており、計測部，表示部ともに電気部品を有することから、それぞれ防水構造をとって外部から水が侵入しないように配慮されている。
【０００３】
また、これらの計器は、計測対象物に直接あるいはその近傍に設置される場合が多い。例えば、プラントに配置される圧力計、流量計、温度計などのフィールド機器や水道やガスの配管に取り付けられる水道メータやガスメータでは、設置される現場の環境によって計器の表示部を確認する作業者の作業空間が狭くて、表示部の表示方向が固定だと表示部の表示内容を視認し難い場合が多々ある。
【０００４】
そこで、防水構造を保ちつつ、表示部の表示方向を手動で変更できるようにした計器が提案されている。例えば、特許文献１では、計測部と表示部とを分離し、それぞれを水密構造とし、表示部の透明カバーを手で回動させることにより、表示部の表示方向を視認し易い方向に変更できるようにしている。
【先行技術文献】
【特許文献】
【０００５】
【特許文献１】特開２００２−８１９７１号公報
【発明の概要】
【発明が解決しようとする課題】
【０００６】
しかしながら、特許文献１に示されたような構造では、計測部と表示部とを別々に水密構造とする必要があり、コストパフォーマンスが悪い。また、水道メータなどの容器内のスペースを大きくとり、コンパクト化が妨げられる。
【０００７】
本発明は、このような課題を解決するためになされたもので、その目的とするところは、コストパフォーマンスがよく、コンパクト化を図ることができる防水計器を提供することにある。
【課題を解決するための手段】
【０００８】
このような目的を達成するために本発明は、計測部と表示部とを同一の防水ケース内に収容するものとし、防水ケースの内周面に沿う方向に回動可能に設けられた表示ユニットに表示部を設け、表示ユニットの防水ケースの内周面に対向する外周面の一部に第１の磁石を設けるようにしたものである。
【０００９】
この発明によれば、防水ケースの外部より、磁石（表示ユニットに設けられた第１の磁石とその磁極間が引き合う第２の磁石）を利用して、防水ケース内の表示ユニットを回動させることが可能である。これにより、計測部と表示部とを同一の防水ケース内に収容した状態で、防水ケースを開放することなく、表示部の表示方向を視認し易い方向に変更することができるようになる。
【発明の効果】
【００１０】
本発明によれば、防水ケースの外部より、磁石を利用して防水ケース内の表示ユニットを回動させ、表示部の表示方向を視認し易い方向に変更することができるので、計測部と表示部とを同一の防水ケース内に収容した構造とし、防水ケース内の空間を有効に利用することができ、計測部と表示部とを別々に水密構造とする従来の構造と比較し、コストパフォーマンスをよくし、コンパクト化を図ることができるようになる。
【図面の簡単な説明】
【００１１】
【図１】本発明に係る防水計器の一実施の形態の要部を示す外観図（縦断面図）である。
【図２】この防水計器の分解構成図である。
【図３】この防水計器における内側マグネットの配置状態の概略を示す平面図である。
【図４】この防水計器における表示ユニットにスプリング機能を持った磁性体のストッパを設置するようにした例を説明する図である。
【図５】防水ケースの外部より表示部を開閉可能に覆う蓋に操作リングを取り付けるようにした例を示す防水計器の外観図である。
【発明を実施するための形態】
【００１２】
以下、本発明の実施の形態を図面に基づいて詳細に説明する。
図１はこの発明に係る防水計器の一実施の形態の要部を示す外観図である。図１ではその構造を分かり易くするために縦断面図として示している。図２は図１に示した防水計器の分解構成図である。
【００１３】
〔防水ケース〕
図１および図２において、１は防水ケース下、２は防水ケース上、３は内部ケースであり、この防水ケース下１と防水ケース上２と内部ケース３との組み合わせで防水ケース４が構成されている。
【００１４】
防水ケース下１はその底面１ａに開口１ｃを有する底の深い円筒状のケースとされている。防水ケース上２はその上面２ａに開口２ｂを有する底の浅い円筒状のケースとされている。開口２ｂには図示してはいないがアクリル板のような透明な板が嵌め込まれている。内部ケース３は広口瓶状の容器とされ、その上面の開口部３ａの周面が鍔状とされ、この鍔状の周面を内部ケースガイド３ｂとしている。
【００１５】
防水ケース４は、防水ケース下１の内部に内部ケース３を収容することによってその容器内が二重構造とされており、後述する表示ユニット９を内部ケース３の開口部３ａにセットしたうえ、防水ケース下１の上部に防水ケース上２を被せ、防水ケース上２の下端縁面２ｃと防水ケース下１の上端面１ｃとを当接させ、この下端縁面２ｃと上端面１ｃとの当接部を溶接や接着によって接合している。
【００１６】
〔表示ユニット〕
表示ユニット９は、液晶の表示部５と、この表示部５が設けられた円板状の基台６と、この基台６の外周部がその内段面７ａに固着された環状のホルダ７と、このホルダ７の外周面７ｂに分散して設けられた磁石（内側マグネット（第１の磁石））８とから構成されている。この例において、内側マグネット８は、図３にその配置状態の概略を示すように、ホルダ７の外周面７ｂに９０゜間隔で４個設けられている。ホルダ７には、その内周面７ｃに、環状溝７ｄが形成されている。
【００１７】
表示ユニット９は、防水ケース４に組み込む際、内部ケース３の開口部３ａにセットされる。この場合、内部ケース３の上面に形成されている内部ケースガイド３ｂをホルダ７の環状溝７ｄに係合させ、内部ケースガイド３ｂの全てを環状溝７ｄに嵌め込むようにする。これにより、表示ユニット９は、内部ケースガイド３ｂがガイドレールとなって、防水ケース４の内周面に沿う方向（図１に示すＡ、Ｂの方向）に回動可能な状態とされる。
【００１８】
なお、図１に一点鎖線でその存在を示すように、内部ケース３には計測部１０が収容され、計測部１０からの信号は非接触で表示ユニット９へ送られるようになっている。例えば、羽根車式水道メータとした場合、羽根車の回転によって作られる回転磁界を磁気センサで検出するなどして、計測部１０からの信号を表示ユニット９へ非接触で送るようにする。
【００１９】
〔操作リング〕
この防水計器１００には、防水ケース４の外周面の表示ユニット９の外周面に対向する位置に、環状の操作リング１１が防水ケース４の外周面に沿う方向（図１に示すＡ，Ｂの方向）に回動可能に装着されている。
【００２０】
操作リング１１には、表示ユニット９の外周面に対向する内周面に、表示ユニット９側の内側マグネット８とその磁極間が引き合う磁石（外側マグネット（第２の磁石））１２が分散して設けられている。
【００２１】
この例では、表示ユニット９側の内側マグネット８と同様にして、操作リング１１の内周面に９０゜間隔で４個の外側マグネット１２が設けられており、この外側マグネット１２と内側マグネット８とを防水ケース４を挟んで吸着させることにより、操作リング１１が防水ケース４の外周面に装着されている。
【００２２】
なお、操作リング１１は、防水ケース上２の上方から落とし込むようにしてセットされている。このセット状態において、操作リング１１は、その装着位置が防水ケース上２の下端縁面２ｃの出っ張りによって規制され、防止ケース下１の方向へずり下がることがないものとされる。
【００２３】
〔表示方向の変更〕
この防水計器１００では、操作リング１１を防水ケース４の外周面で回転させることによって、表示部５の表示方向を変更させることができる。
【００２４】
すなわち、図１において、操作リング１１をＡ方向へ回転させると、この操作リング１１の外側マグネット１２に追従する内側マグネット８の移動によって、表示ユニット９が内部ケースガイド３ｂに案内されてＡ方向へ回転し、表示部５の表示方向が変更される。  
【００２５】
同様に、操作操作リング１１をＢ方向へ回転させると、この操作リング１１の外側マグネット１２に追従する内側マグネット８の移動によって、表示ユニット９が内部ケースガイド３ｂに案内されてＢ方向へ回転し、表示部５の表示方向が変更される。
【００２６】
〔表示方向の固定〕
表示部５の表示方向を所望の方向に変更させた後、操作リング１１を装着したままでもよいが、振動などによって操作リング１１が回転し、表示部５の表示方向が変わってしまう虞がある。
【００２７】
そこで、本実施の形態では、表示部５の表示方向を所望の方向に変更した後、操作リング１１を外し、磁性体のリング（図示せず）に置き換える。これにより、防水ケース４内の内側マグネット８が防水ケース４の外側の磁性体のリングに引き寄せられ、内側マグネット８と防水ケース４の外側の磁性体のリングとの間に磁気回路が形成され、表示部５の表示方向が固定される。
【００２８】
なお、操作リング１１の内面の外側マグネット１２の装着部を環状の溝とし、外側マグネット１２を全て取り外して、残された環状の溝に磁性体のリングを嵌め込み、この磁性体のリングが嵌め込まれた操作リング１１を防水ケース４の外周面に装着するようにして、表示部５の表示方向を固定するようにしてもよい。
【００２９】
また、図４にその概略図を示すように、表示ユニット９にスプリング機能を持った磁性体のストッパ１３を設置し（図４（ａ））、表示部５の表示方向を変更する場合には別のマグネット１４を近づけて（図４（ｂ））、磁性体のストッパ１３を外し、表示ユニット９を操作リング１１によって回転させるようにしてもよい。この場合、表示部５の表示方向を変更した後、近づけたマグネット１４を離すことで、ストッパ１３が元の位置に戻されて、表示ユニット９の動きがロックされ、表示部５の表示方向が固定されるものとなる。
【００３０】
また、操作リング１１の回転をロックする機構を設け、表示部５の表示方向を変更した後、そのロック機構を作動させて操作リング１１の回転を規制するようにしてもよい。
【００３１】
以上の説明から分かるように、本実施の形態の防水計器１００によれば、防水ケース４の外部より、操作リング１１を利用して防水ケース４内の表示ユニット９を回動させ、表示部の表示方向を視認し易い方向に変更することができるので、計測部１０と表示部５とを同一の防水ケース４内に収容した構造とし、防水ケース４内の空間を有効に利用することができ、計測部と表示部とを別々に水密構造とする従来の構造と比較し、コストパフォーマンスをよくし、コンパクト化を図ることができるようになる。
【００３２】
なお、上述した実施の形態では、防水ケース４の外周面に操作リング１１を装着するようにしたが、操作リング１１を装着せずに、表示ユニット９を回転させるだけの磁力を単体で持った外側マグネットを持参し、その外側マグネットを利用して表示ユニット９を防水ケース４の外側から回転させるようにしてもよい。
【００３３】
また、上述した実施の形態では、表示部５を液晶の表示部としたが、歯車などで指示値を表示する機械式表示部であってもよく、同様にして防水ケース４の外側から回転させることが可能である。
【００３４】
また、図５に示すように、防水ケース４の外部より表示部５を開閉可能に覆う蓋１５に操作リング１１を取り付けるようにしてもよい。図５に示した例は、水道メータへの適用例を示しており、防水ケース下１および防水ケース下２の形状が図１に示した例と異なっているが、その基本構造は図１に示した例と同じである。
【００３５】
また、上述した実施の形態では、表示部５と基台６とホルダ７と内側マグネット８との組み合わせを表示ユニット９としたが、表示部５と基台６とを合わせた構成を表示ユニットとし、この表示ユニットに内側マグネットを設けて回転させるような構造としてもよい。
【００３６】
また、上述した実施の形態では、防水ケース下１と内部ケース４とを別体として設けて防水ケース４を二重構造としたが、防水ケース下１と内部ケース４とは一体であっても構わない。
【００３７】
また、上述した実施の形態では、内側マグネット８や外側マグネット１２を４個としたが、その数は４個に限られるものではなく、ホルダ７の外周面や操作リング１１の内周面の一部に設けられていればよく、その数は１個でも構わない。
【産業上の利用可能性】
【００３８】
本発明の防水計器は、表示部と計測部とを同一の防水ケース内に収容した防水計器として、水道メータやガスメータなど各種の計器に利用することが可能である。
【符号の説明】
【００３９】
１…防水ケース下、１ａ…底面、１ｂ…開口、１ｃ…上端面、２…防水ケース上、２ａ…上面、２ｂ…開口、２ｃ…下端縁面、３…内部ケース、３ａ…開口、３ｂ…鍔状の周面（内部ケースガイド）、４…防水ケース、５…表示部、６…基台、７…ホルダ、７ａ…内段面、７ｂ…外周面、７ｃ…内周面、７ｄ…環状溝、８…磁石（内側マグネット（第１の磁石 ））、９…表示ユニット、１０…計測部、１１…操作リング、１２…磁石（外側マグネット（第２の磁石 ））、１３…ストッパ、１４…マグネット、１５…蓋、１００…防水計器。
【図１】
2011209229.tif 000003
【図２】
2011209229.tif 000004
【図３】
2011209229.tif 000005
【図４】
2011209229.tif 000006
【図５】
2011209229.tif 000007